(57)【要約】      （修正有）【課題】リクライニングシートをスムーズに回転させることができるリクライニングシートの復帰位置決め構造を提供する。【解決手段】固定台１と、固定台１に沿って回動するシート２とを含み、シート２には互いに連結される座部２２及び背もたれ部２３が設けられ、背もたれ部２３の下縁には、油圧シリンダ３が設けられる。油圧シリンダ３の一方の端部は、シート２に固定され、他方の端部は、背もたれ部２３に固定される。油圧シリンダ３は、ワイヤを介して固定台１の側縁に設けられるペダル４に接続され、ワイヤを介してシート２の肘掛２５に設けられる作動レバー２６に接続される。ユーザがペダル４を踏むと、ワイヤが油圧シリンダ３を制御し、背もたれ部２３が垂直に復帰して位置決めされるため、リクライニングシートをスムーズに回転させることができる。【選択図】図１
0003186633.tif 000002
【実用新案登録請求の範囲】
【請求項１】
固定台と、前記固定台に沿って回動するシートと、を備えるリクライニングシートの復帰位置決め構造であって、
前記シートの一方の側部には、位置決め溝が設けられ、前記固定台には、係合部を有するペダルが設けられ、ユーザが着座している状態の場合、前記ペダルの係合部は、前記シートの位置決め溝に係合されるため、前記シートは、位置決めされて回転せず、ユーザが前記リクライニングシートを回転させる場合、前記ペダルを踏むと、前記位置決め溝から前記ペダルの係合部が離脱し、前記シートを前記固定台に沿って１８０度回転させることができ、
前記シートには、座部及び背もたれ部が設けられ、前記座部の後縁と前記背もたれ部とは、連動ロッドを介して互いに連結され、可動構造が形成され、前記シートには、油圧シリンダが設けられ、前記油圧シリンダの一方の端部は、前記シートに固定され、他方の端部は、前記背もたれ部に固定され、前記油圧シリンダは、ワイヤを介し、前記ペダルと、前記シートの肘掛に設けられる前記作動レバーと、に接続され、ユーザは、着座している状態の際、前記肘掛の作動レバーによって前記油圧シリンダを制御し、前記背もたれ部を快適な角度に倒すことができ、
前記リクライニングシートを回転させる場合、前記ペダルを踏むと、前記ワイヤが前記油圧シリンダを制御し、前記背もたれ部が垂直に復帰して位置決めされるため、前記リクライニングシートを回転させる際、背もたれ部が垂直に復帰して位置決めされず、回転空間が影響を受け、リクライニングシートを回転できなかったり、回転させる際、衝突して損壊したりするのを防止することができることを特徴とするリクライニングシートの復帰位置決め構造。
【請求項２】
前記ペダルは、座体に設けられ、前記座体は、前記固定台に固定され、前記座体と前記ペダルとの間にバネが設けられることにより、前記ペダルから足を離すと、前記バネによって復帰して位置決めされることを特徴とする請求項１に記載のリクライニングシートの復帰位置決め構造。
【考案の詳細な説明】
【技術分野】
【０００１】
本考案は、リクライニングシートの復帰位置決め構造に関し、特に、リクライニングシートを回転させる際、ペダルを踏むと、背もたれ部が垂直に復帰して位置決めされている場合に、及び、背もたれ部が垂直に復帰せずに位置決めされないされない場合あっても、ペダルを踏むことにより自動的に背もたれ部が垂直に復帰するので、回転空間が影響を受けリクライニングシートを回転できなくなるのを防止することができるリクライニングシートの復帰位置決め構造に関する。
【背景技術】
【０００２】
一般に、高速鉄道、汽車などに設置されるリクライニングシートは、座り心地をより快適にするために、背もたれ部を適切な傾斜角度に調整することができる。また、向かい合って話ができるように、隣り合う前方又は後方のシートを１８０度回転させ、シートを向かい合わせることができる。
しかし、従来のリクライニングシートは、背もたれ部の角度を調整する構造と、シートを回転させる構造と、が別々に制御されるため、シートを回転させる際、背もたれ部を垂直に復帰して位置決めするのを忘れた場合、回転空間が影響を受け、リクライニングシートを回転できなかったり、リクライニングシートが損壊したりする。
【０００３】
本考案の考案者は、従来技術の欠点に鑑み、当該技術に長年従事した経験、弛まぬ研究、実験から、リクライニングシートの回転操作をより便利にすることができる本考案のリクライニングシートの復帰位置決め構造を案出した。
【先行技術文献】
【特許文献】
【０００４】
【特許文献１】特開２００１−１５８２６７号公報
【考案の概要】
【考案が解決しようとする課題】
【０００５】
本考案の主な目的は、リクライニングシートを回転させる際、ペダルを踏むと、背もたれ部が垂直に復帰して位置決めされるため、及び、背もたれ部が垂直に復帰して位置決めされない場合でも、ペダルを踏むことにより自動的に背もたれ部が垂直に復帰するので、回転空間が影響を受けてリクライニングシートを回転できなくなるのを防止することができ、リクライニングシートの操作をより便利にすることができるリクライニングシートの復帰位置決め構造を提供することにある。
【課題を解決するための手段】
【０００６】
上述の課題を解決するために、本考案のリクライニングシートの復帰位置決め構造は、固定台と、固定台に沿って回動するシートと、を含む。シートには、互いに連結される座部及び背もたれ部が設けられる。背もたれ部の下縁には、油圧シリンダが設けられる。油圧シリンダの一方の端部は、シートに固定され、他方の端部は、背もたれ部に固定される。油圧シリンダは、ワイヤを介し、固定台の側縁に設けられるペダルと、シートの肘掛に設けられる作動レバーと、に接続される。
【０００７】
ペダルは、固定台に設けられる。固定台とペダルとの間にバネが設けられることにより、ペダルから足を離すと、バネによって復帰して位置決めされる。
【考案の効果】
【０００８】
本考案のリクライニングシートの復帰位置決め構造により、ユーザが肘掛の作動レバーによって油圧シリンダを制御することにより、背もたれ部を後方に倒し、快適な傾斜角度に調整ことができる。また、リクライニングシートを回転させる場合、ペダルを踏むと、油圧シリンダが制御され、背もたれ部が垂直に復帰して位置決めされるため、及び、背もたれ部が垂直に復帰して位置決めされない場合でも、ペダルを踏むことにより自動的に背もたれ部が垂直に復帰するので、回転空間が影響を受けて、回転空間が影響を受け、リクライニングシートを回転できなくなるのを防止することができる。
【図面の簡単な説明】
【０００９】
【図１】本考案を示す斜視図である。
【図２】本考案のワイヤを示す斜視図である。
【図３】本考案のペダルを示す分解斜視図である。
【図４】本考案の作動状態を示す斜視図である。
【考案を実施するための形態】
【００１０】
図１〜図３を参照する。図１は、本考案を示す斜視図である。図２は、本考案のワイヤを示す斜視図である。図３は、本考案のペダルを示す分解斜視図である。
図１〜図３に示すように、本考案は、固定台１と、固定台１に沿って回動するシート２と、を含む。シート２の一方の側部には、位置決め溝２１が設けられる。シート２には、座部２２及び背もたれ部２３が設けられる。座部２２の後縁と背もたれ部２３とは、連動ロッド２４を介して互いに連結され、可動構造が形成される。シート２には、油圧シリンダ３が設けられる（本実施形態中、２つの油圧シリンダ３が設けられる）。
油圧シリンダ３の一方の端部は、シート２に固定され、他方の端部は、背もたれ部２３に固定される。油圧シリンダ３は、ワイヤ３１を介して固定台１の側縁に設けられるペダル４に接続され、ワイヤ３２を介してシート２の肘掛２５に設けられる作動レバー２６に接続される。
【００１１】
ペダル４は、座体４１に設けられる。座体４１は、固定台１に固定される。座体４１とペダル４との間には、バネ４２が設けられる。これにより、ペダル４から足を離すと、バネ４２によって復帰して位置決めされる。ペダル４の他方の端部には、ワイヤ３１が接続される。ペダル４には、円形の係合部４３が設けられる。これにより、ペダル４が踏まれていない場合、バネ４２の弾性力により、シート２の位置決め溝２１に係合部４３が係合される。
【００１２】
前述の部材が組み合わされることにより、本考案のリクライニングシートの復帰位置決め構造が構成される。ペダル４が踏まれていない場合、シート２の位置決め溝２１にペダル４の係合部４３が係合されるため、シート２を回転させることができない。ユーザが肘掛２５の作動レバー２６によって油圧シリンダ３を制御すると、背もたれ２３を後方に倒すことができる。
リクライニングシートを回転させる場合、ペダル４を踏むと、シート２の位置決め溝２１からペダル４の係合部４３が離脱し、リクライニングシートを１８０度回転させることができると共に、油圧シリンダ３が制御され、背もたれ部２３が垂直に復帰して位置決めされる。これにより、ペダル４を踏むことにより自動的に背もたれ部２３が垂直に復帰するので、背もたれ部２３が垂直に復帰せずに位置決めされない場合でも、回転空間が影響を受け、リクライニングシートを回転できなくなるのを防止することができる。
【００１３】
図４は、本考案の作動状態を示す斜視図である。図２〜図４に示すように、ユーザが着座した状態の際、シート２の位置決め溝２１にペダル４の係合部４３が係合されるため、シート２は、位置決めされて回転しない。この状態の際、ユーザが肘掛２５の作動レバー２６を操作すると、ワイヤ３２を介して油圧シリンダ３が制御され、背もたれ部２３を快適な角度に倒すことができる。
また、リクライニングシートを回転させる場合、ペダル４を踏むと、シート２の位置決め溝２１からペダル４の係合部４３が離脱する。この状態の際、シート２を固定台１に沿って１８０度回転させることができる。また、ペダル４を踏むと、ワイヤ３１が油圧シリンダ３を制御し、背もたれ部２３が垂直に復帰して位置決めされる。これにより、リクライニングシートを回転させる際、背もたれ部２３が垂直に復帰して位置決めされない場合でも、ペダル４を踏むことにより自動的に背もたれ部２３が垂直に復帰するので、回転させる際、リクライニングシートが衝突して損壊したりするのを防止することができる。
【００１４】
上述の実施形態は、本考案の好適な実施形態を示すものであり、本考案の範囲を限定するものではない。本考案の主旨を逸脱しない範囲における修飾及び変更は、本考案に含まれる。
【００１５】
本考案のリクライニングシートの復帰位置決め構造は、互いに接続される座部及び背もたれ部に、背もたれ部に接続される油圧シリンダと、油圧シリンダを制御するペダルと、が組み合わされて構成される。
これにより、リクライニングシートを回転させる場合、ペダルを踏むと、油圧シリンダが制御され、背もたれ部が垂直に復帰して位置決めされるため、及び、背もたれ部が垂直に復帰して位置決めされない場合でもペダル４を踏むことにより自動的に背もたれ部２３が垂直に復帰するので、回転空間が影響を受けてリクライニングシートを回転できなくなるのを防止することができ、リクライニングシートの操作をより便利にすることができる。即ち、本考案は、実用性が高く、ユニークな考案である。
【符号の説明】
【００１６】
１  固定台
２  シート
２１  位置決め溝
２２  座部
２３  背もたれ部
２４  連動ロッド
２５  肘掛
２６  作動レバー
３  油圧シリンダ
３１  ワイヤ
３２  ワイヤ
４  ペダル
４１  座体
４２  バネ
４３  係合部
【図１】
0003186633.tif 000003
【図２】
0003186633.tif 000004
【図３】
0003186633.tif 000005
【図４】
0003186633.tif 000006